(57)【特許請求の範囲】
【請求項１】
バイブレータと、折畳み可能な筐体とを備える移動通信端末装置において、
予め設定したアラーム時刻が経過している状態であることを認識する認識手段と、
前記筐体が閉じられた状態から開かれた状態になったことを検出する検出手段と、
前記認識手段により予め設定したアラーム時刻が経過している状態であることを認識し、かつ前記検出手段により前記筐体が閉じられた状態から開かれた状態になったことを検出した場合に、前記バイブレータを駆動するよう制御する制御手段と
を具備することを特徴とする移動通信端末装置。
【発明の詳細な説明】
【０００１】
【発明の属する技術分野】
本発明は、折り畳み可能な移動通信端末装置にかかわり、所定の事象を簡単な操作で操作者に知らせることのできる移動通信端末装置に関する。
【０００２】
【従来の技術】
従来の移動通信端末装置において、着信、メール着信及び操作者があらかじめ時刻設定していたアラームの通知方法としては、いずれかの事象が発生した時点で音やバイブレータによって通知する手段をとっている。
【０００３】
この通知を操作者が認識できなかった場合、着信については不在着信として、メール着信については未開封メールとして、時刻アラームについては一定時間で通知を終了して、おのおのの事象をＬＣＤ画面上のアイコンによる表示や、ＬＥＤの点灯により操作者に事象の発生を通知していた。
【０００４】
したがって、事象発生と同時に、この発生した状態の通知を認識できなかった操作者は、ＬＣＤ画面上やＬＥＤの点灯などを目で確認することでしか、事象発生後に事象発生を確認することができなかった。
【０００５】
特に、折畳み形状の移動通信端末装置では、ＬＣＤ表示を見るには、筐体が折畳まれている状態から完全に開かなくてはならない。つまり折畳みの筐体を開く動作と、表示を見る動作の２つの動作が必要である。
【０００６】
これに対して、筐体の折畳み状態のまま、事象発生の状態を確認ができるように、筐体が折畳まれているときにはキーと同じ筐体の内側に位置する通常の主のＬＣＤ、またはＬＥＤとは別に、筐体の外側に副のＬＣＤまたはＬＥＤを設ける構成を備えることで、折畳みの筐体を開かずに、上記いずれかの事象発生を確認できるようにした移動通信端末装置も知られている。しかしこれでは新たにＬＣＤ、ＬＥＤを設ける必要があり、筐体も大型になり部品数も多くなる。
【０００７】
また、筐体を折畳んだ状態のまま、筐体の外側に設けたキーの操作にもとづいてバイブレータを動作させて、上記事象の発生を通知する手段も公知であるが、これもキーを別に設ける必要があり、部品数も増え、筐体も大型化する。
【０００８】
【発明が解決しようとする課題】
上述のごとく、従来の移動通信端末装置では、不在着信などの事象発生を通知する方法として、筐体の内側に位置するＬＣＤやＬＥＤの表示による方法では、筐体を開いてから表示を確認する必要があり２つの動作を必要としていた。また、筐体の外側に上記ＬＣＤとは別のＬＣＤやＬＥＤを設ける構成では部品数も多く筐体の大型化にもなっていた。さらに折畳まれている状態の筐体の外側から操作可能なキーの操作により、事象発生をバイブレータで通知する構成も同様に部品数増加、筐体の大型化につながっていた。
【０００９】
そこで本発明は余計に部品数を増やすことなく、少ない動作で、上記した事象発生の確認を行うことのできる制御機能を備えた移動通信端末装置を提供することを目的とする。
【００１０】
【課題を解決するための手段】
上記の目的を達成するために、請求項１に係る発明は、バイブレータと、折畳み可能な筐体とを備える移動通信端末装置において、予め設定したアラーム時刻が経過している状態であることを認識する認識手段と、前記筐体が閉じられた状態から開かれた状態になったことを検出する検出手段と、前記認識手段により予め設定したアラーム時刻が経過している状態であることを認識し、かつ前記検出手段により前記筐体が閉じられた状態から開かれた状態になったことを検出した場合に、前記バイブレータを駆動するよう制御する制御手段とを具備することを特徴とする。
【００１１】
【発明の実施の形態】
（第１の実施の形態）
本発明の第１の実施の形態を説明する。図１は、本実施形態に係わる移動通信端末装置の構成を示すブロック部である。同図において、マイク１０から出力された送話音声信号は、符号化部１４にてディジタル化されたのち圧縮される。
【００１２】
圧縮された信号は、ディジタル変調部１６でディジタル変調される。変調された信号は、シンセサイザ２７から出力されるローカル信号により無線送信部２０で高周波の信号に変換されたのち、所定の電力レベルに上げられて共用器２２にてアンテナ２４にのみ供給され、アンテナ２４経由で無線高周波信号として送信される。
【００１３】
一方、アンテナ２４で受信される基地局からの高周波の無線信号は、共用器２２にて無線受信部２６のみに供給される。無線受信部２６では、受信された高周波信号が増幅されたのちに、シンセサイザ２７からのローカル信号とによりベースバンド信号に変換される。この変換された信号は、ディジタル復調部３０に入力されてディジタル復調される。
【００１４】
ディジタル復調された信号は、デコーダ３２で音声復号されて圧縮を解かれたのち、アナログ信号に変換される。このアナログ信号はスピーカ３６から出力される。
【００１５】
なお、制御部４０には、表示部としてのＬＣＤ（液晶表示部）４２、メモリ４４、入力操作部としてのキー４６が接続されている。ＬＣＤ４２、キー４６は、音声通話のための入力、表示の他に、文字入力などにも使用される。
【００１６】
さらに制御部４０にはバイブレータ駆動部５０が接続されており、これによりバイブレータ５２が駆動される。
【００１７】
本移動通信端末装置は、図２に示すごとく、ヒンジ部６０を中心に折り畳み可能になっており、筐体が折りたたまれた状態から開かれた状態を検出するための開閉スイッチ５４が設けられている。開閉スイッチ５４は、図３に示すように下側筐体６２から出没自在に設けられるピン５４ａと、ピン５４ａに向かい合い、下側筐体６２の内部に位置する接点部５４ｂとからなる。接点部５４ｂは、従来からある可動接点と固定接点とからなる。
【００１８】
筐体が開かれた状態では、ピンは上側筐体から押されないので接点部５４ｂはＯＦＦの状態である。一方、筐体を閉じた状態ではピンがキー部を押すことで基板側の接点部５４ｂをＯＮした状態となる。基板側の接点部５４ｂは制御部４０が接続されて、接点部５４ｂの状態を監視しており、検出した状態に応じてＬＣＤやキーのバックライトの点灯などの制御を行っている。
【００１９】
この開閉可能な筐体には、上記したＬＣＤ４２が上側筐体６４に設けられる。そして、ＬＣＤ４２の表示内容は、筐体６２、６４が開いた状態では確認可能で、閉じた状態では確認ができない位置、すなわち閉じた状態ではＬＣＤ４２は下側筐体に向かいあうように設けられている。
【００２０】
本実施形態では、筐体が閉じた状態から開かれた状態になったことを検出する従来からある動作を利用して、所定の事象発生をすでに検出していた場合には、筐体が開かれたことに連動して操作者に振動または音により事象を通知する。
【００２１】
なお上記検出手段は、スイッチ機構のほかに、磁石とリードスイッチなど、２つのものが合わさったかどうかを検出する既存の構成であれば良い。
【００２２】
次に本実施形態の制御方法について図４を用いて説明する。移動通信端末装置が以下の事象のいずれかが発生した後に待受け状態に入った場合、この状態を制御部４０が認識する（ステップ１００）。
１．着信に対して操作者が応答していない不在着信状態
２．メールを受信したのち、その受信されたメールを開封していないメール未開封状態
３．ユーザが予め設定したアラームの時刻が経過している状態
この状態をバイブレータで通知する機能が、予め設定されているかどうかを制御部４０は監視する（ステップ１０２）。そのバイブレータ機能が設定されている場合で、折畳み筐体の開閉スイッチ５４の状態に変化があるかどうかを制御部４０は監視する（ステップ１０４）
開閉スイッチ５４の状態に変化がある場合で、開閉スイッチが開かれた状態であることを制御部４０が検出した場合（ステップ１０６）は、バイブレ−タを動作させる（ステップ１０８）。
【００２３】
この機能により、ＬＥＤやＬＣＤの表示による確認を必要とせずに、折畳み筐体を開くという動作に応答して操作者に振動を感じさせるだけで、上記事象のいずれかが発生していることを操作者に知らせることが可能である。さらにこの機能を従来からある筐体の開閉を認識するための既存のスイッチの検出結果を使ってバイブレータを起動しているため、新たな部品を設ける必要もなく、部品数も増えない。
【００２４】
またこの機能により、操作者がポケットなどに移動通信端末装置が折畳まれた状態で収納しているときに、ポケットから装置を取り出ださなくても、スイッチ５４がステップ１０６でＯＦＦになる程度まで筐体を開くことで、上記いずれかを操作者に知らせることが可能になる。ここで装置が振動しなければ上記のいずれの事象も発生していないことが操作者が認識できるので、わざわざポケットから装置を取り出さなくても良いという利点がある。
【００２５】
このため、従来のように、ＬＥＤやＬＣＤを見ることで上記事象を確認する方式では、その都度、収納されたポケットなどから取り出す必要があったので、この従来例に比べて本実施形態が便利である。
【００２６】
上記実施形態において、各事象をバイブレータの振動パターンにより判別できるようにしても良く、例えば図５に示すように不在着信の場合では連続振動、未開封メールがある場合は一定時間の間欠振動、設定時刻を経過した場合では間欠振動の間欠タイミングをランダムにするなどを予め設定しておくと良い。
【００２７】
なお、上記事象発生は筐体を開いたときに振動で知らせるとともに、主たるＬＣＤにも事象発生を表示するようにしてもよい。こうすることで、筐体を開いたときに振動を感じた操作者が振動の意味をＬＣＤで確認することができ、特に操作に不慣れな人には便利となる。
【００２８】
上記の実施形態では筐体を閉じた状態から開いた状態にしたことを制御部が認識したときにバイブレータを起動して振動により、上記事象発生を通知していたが、振動に限定されず、ピッといった音や音声合成されたガイダンスを既存のサウンダから発生して通知するようにしても良い。
【００２９】
【発明の効果】
以上説明したように、請求項１に係る発明によれば、少ない動作で、操作者にて、予め設定したアラーム時刻が経過している状態であることを確認できる移動通信端末装置を提供することが可能である。
【図面の簡単な説明】
【図１】本発明の第１の実施形態を示す移動通信端末装置を示すブロック図
【図２】本発明の第１の実施形態における移動通信端末装置の筐体を説明するフローチャート図
【図３】本発明の第１の実施形態における筐体の開閉スイッチの詳細を示す図
【図４】本発明の第１の実施形態における制御例を示すフローチャート図
【図５】本発明の第１の実施形態における振動のさせ方を示す図
【符号の説明】
４０…制御部
４２…ＬＣＤ
５０…バイブレータ
５４…開閉スイッチ
【図１】
0003703726.tif 000002
【図２】
0003703726.tif 000003
【図３】
0003703726.tif 000004
【図４】
0003703726.tif 000005
【図５】
0003703726.tif 000006